【事件の表示】
　特許第２９０８１６７号「用紙搬送装置」の特許に対する特許異議の申立てについて、次のとおり決定する。
【結　論】
　特許第２９０８１６７号の特許を維持する。
【理　由】
　１．本件特許発明
　本件特許第２９０８１６７号（平成５年３月１５日出願、平成１１年４月２日設定登録。）の請求項１に係る発明（以下、本件特許発明という。）は、特許明細書及び図面の記載からみて、その特許請求の範囲の請求項１に記載された事項により特定される次のとおりのものである。
　「【請求項１】プリンタ装置に使用し、単票用紙を搬送するための用紙搬送装置であって、プラテンに平行にスペーシング動作を行いながらインクリボンを介して前記単票用紙を打撃することによって印字を行う印字ヘッドと、前記印字ヘッドの打撃を受けかつ前記単票用紙を搬送する前記プラテンと、前記印字ヘッドの近傍の前記プラテンに対向する位置に設けられて前記印字ヘッドと一体になってスペーシング動作を行うことにより前記プラテンとの間に挿入される前記単票用紙が前記印字ヘッドに巻込まれるのを防止するカードホルダと、前記単票用紙が入ってきたことを認識して前記単票用紙の吸入動作を開始させる吸入センサと、吸入した前記単票用紙を認識して一定の位置まで搬送させる頭出しセンサと、前記単票用紙の走行を案内するフロントペーパガイドおよびリヤペーパガイドと、前記単票用紙の走行の駆動・停止を行うフロントローラおよびリヤローラと、前記印字ヘッドの近傍に設けられ前記印字ヘッドと一体になってスペーシング動作を行うことにより前記単票用紙の幅を検出する用紙幅センサとを備え、前記単票用紙を吸入しあらかじめ設定してある一定位置まで前記単票用紙を搬送させた後、前記単票用紙の幅を検出するため前記印字ヘッドおよび前記カードホルダおよび前記用紙幅センサにスペーシング動作を行わせ、前記単票用紙に対して印字を行って改行して前記リヤペーパガイドの所定の位置に到達したとき、印字動作を中断して前記印字ヘッドおよび前記カードホルダおよび前記用紙幅センサに前記単票用紙の幅に相当する量のスペーシング動作を行わせることを含むことを特徴とする用紙搬送装置。」
　２．申立ての理由の概要
　申立人根津仁は、本件特許発明は、甲第１号証乃至甲第３号証に記載された発明に基づいて当業者が容易に発明をすることができたものであるから、特許法第２９条第２項の規定により特許を受けることができないものであり、特許法第１１３条第１項第２号の規定により取り消すべきものである旨主張している。
　３．甲第１号証乃至甲第３号証に記載の発明
　甲第１号証（特開平１−２０６０７７号公報）には、プラテンに新たに用紙をセットした時にキャリアが自動的に用紙の中央位置に移動するようにした印字装置に関して、下記の事項が図面とともに記載されている。
　「プラテンの長手方向に沿って移動制御され用紙ガイドを有したキャリアに搭載された印字ヘッドで前記プラテンにセットされた用紙に文字を出力する印字装置において、前記キャリアの前記印字ヘッドの取付け位置より用紙の供給側位置に取付けられ、前記プラテンにセットされる用紙の有無を検出する用紙検出センサと、この用紙検出センサの取付位置まで前記用紙の先端が紙送りされた時点で前記キャリアを前記プラテンの一方端から他方端まで走査させるキャリア走査手段と、このキャリア走査期間中における前記用紙検出センサの用紙検出開始時および用紙検出終了時における各キャリア位置を前記用紙の両端位置として記憶するセット位置メモリと、このセット位置メモリに記憶された両端位置から用紙の中央位置を算出する中央位置演算手段と、この中央位置演算手段にて算出された中央位置へ前記キャリアを移動させるキャリアセンタリング手段とを備えたことを特徴とする印字装置。」（特許請求の範囲の欄）
　甲第２号証（特開昭６３−５３０７３号公報）には、ホッパに重積された用紙を１枚ずつ分離して印字部に給送する印字装置の用紙給送方法に関して、下記の事項が図面とともに記載されている。
　「ホッパに蓄積された用紙を１枚ずつ分離給送する単紙給紙装置を有し、給送されてきた用紙をプラテンに巻回して印字位置へのセットを行なう印字装置において、
　プラテンの手前で用紙検出センサにより用紙先端を検出すると共に、
　キャリッジを用紙の幅方向に一定区間往復動作させてキャリッジ上のリボンプロテクタを用紙端部の幅方向にわたって当接摺動させることにより、
　用紙全幅にわたって方向転換を確実に行なって全幅にわたって用紙ガイドにひっかけることなくプラテンに巻回させるようにしたことを特徴とする印字装置の用紙給送方法。」（特許請求の範囲の欄）
　甲第３号証（特開平１−２４９４８１号公報）には、シリアルプリンタの印字ヘッドから送出された用紙が排出ローラ手前で規定の搬送経路から逸脱することに起因する紙詰りを防止するようにした紙詰り防止装置に関して、下記の事項が図面とともに記載されている。
　「（１）用紙裏面側に設けられ、印字ヘッドから送出される用紙を上下に相対向して配設された排出側ローラへ導く案内部材と、
　用紙搬送方向と直交する方向へ移動可能なキャリッジと、
　このキャリッジの下端に固定され、前記印字ヘッドの周縁部において前記案内部材と所定の用紙挿通間隔を介して対向する案内面を有するペーパーガイドとを備えたシリアルプリンタにおいて、
　前記排出側ローラに用紙前端部が達した時点で前記キャリッジを移動させペーパーガイドを少なくとも用紙の一側端から他側端へ移動させるようにしたことを特徴とするシリアルプリンタの紙詰り防止装置。
　（２）ペーパーガイドの案内面を排出側ローラ近傍へ延出させた形状とする請求項１記載のシリアルプリンタの紙詰り防止装置。」（特許請求の範囲の欄）
　４．対比・判断
　そこで、本件特許発明と甲第１号証に記載された発明とを本件特許発明の用語を使用して対比すると、両者は、「プリンタ装置に使用し、単票用紙を搬送するための用紙搬送装置であって、プラテンに平行にスペーシング動作を行いながらインクリボンを介して前記単票用紙を打撃することによって印字を行う印字ヘッドと、前記印字ヘッドの打撃を受けかつ前記単票用紙を搬送する前記プラテンと、前記印字ヘッドの近傍の前記プラテンに対向する位置に設けられて前記印字ヘッドと一体になってスペーシング動作を行うことにより前記プラテンとの間に挿入される前記単票用紙が前記印字ヘッドに巻込まれるのを防止するカードホルダと、前記単票用紙が入ってきたことを認識して前記単票用紙の吸入動作を開始させる吸入センサと、前記印字ヘッドと一体になってスペーシング動作を行うことにより前記単票用紙の幅を検出する用紙幅センサとを備え、前記単票用紙を吸入しあらかじめ設定してある一定位置まで前記単票用紙を搬送させた後、前記単票用紙の幅を検出するため前記印字ヘッドおよび前記カードホルダおよび前記用紙幅センサにスペーシング動作を行わせる用紙搬送装置。」で一致しており、次の各点で相違している。
　相違点１；本件特許発明では、単票用紙の幅を検出する用紙幅センサが印字ヘッドの近傍に設けられており、頭出しセンサにより単票用紙を搬送するあらかじめ設定してある一定位置とは、カードホルダで単票用紙がインクリボンを乗り越えて角折れやジャムが発生するのを防止できる位置であって、単票用紙の幅を検出するため印字ヘッド、カードホルダ及び用紙幅センサにスペーシング動作を行わせて用紙幅センサで用紙の幅を検出する際に、カードホルダで用紙がインクリボンを乗り越えて角折れやジャムが発生するのを防止しているものであるのに対して、甲第１号証に記載された発明では、用紙検出センサ（用紙幅センサに相当）は、印字ヘッドおよび用紙ガイドより用紙の搬送方向上流側に設けられており、用紙が送られる位置とは、用紙検出センサで用紙の幅を検出できる位置であって、スペーシング動作により用紙検出センサで用紙の幅の中央位置を検出してキャリア位置をその用紙の幅の中央に移動させるものであるから、本件特許発明とは、用紙検出センサの設けられている位置が相違しており、したがって、本件特許発明のように頭出しされた単票用紙に対するスペーシング動作で用紙幅センサにより用紙幅を検出する際に、カードホルダで用紙がインクリボンを乗り越えて角折れやジャムが発生するのを防止するものではない。
　相違点２；本件特許発明では、フロントペーパガイド及びリヤペーパガイド並びにフロントローラ及びリヤローラを備えるとともに、印字を行って改行して単票用紙がリヤペーパガイドの所定の位置に到達したとき、印字動作を中断して印字ヘッド、カードホルダ及び用紙幅センサに単票用紙の幅に相当する量のスペーシング動作を行わせて用紙のカール状態を補正しているのに対して、引用例１に記載された発明では、上記した本件特許発明のようなガイド並びにローラを備えておらず、したがって、用紙のカール状態の補正も行っていない点。
　上記各相違点について検討するに、甲第２号証には、用紙の全幅にわたって方向転換を確実に行うためにリボンプロテクタ（カードホルダに相当）を備えたキャリッジを用紙検出センサ（吸入センサに相当）が用紙先端を検出した時点から用紙を印字位置にセットするまで往復動させる（ガイドの一種として機能させる）ことが記載されているにすぎないものであり、甲第３号証には、本件特許発明の上記相違点２に相当する技術事項が記載されているにとどまるものであって、本件特許発明の上記相違点１に係る技術事項については、記載されておらず、示唆する記載も見いだすことができない。
　そして、本件特許発明は、上記相違点１に係る技術事項を備えることによって、頭出しされた用紙に対するスペーシング動作時に用紙幅センサで用紙幅の検出するとともに、カードホルダで用紙がインクリボンを乗り越えて角折れやジャムが発生するのを防止することができるという格別な作用効果を奏するものと認める。
　したがって、本件特許発明は、甲第１号証乃至甲第３号証に記載された発明に基づいて当業者が容易に発明をすることができたものとは認めることができない。
　５．むすび
　以上のとおりであるから、特許異議の申立ての理由及び証拠によっては本件特許発明についての特許を取り消すことができない。
　また、他に本件特許発明についての特許を取り消すべき理由を発見しない。
　よって、結論のとおり決定する。
【異議決定日】
平成１２年３月７日（２０００．３．７）